(57)【特許請求の範囲】
【請求項１】
ギターを製造するプロセスであって、
（ａ）ギターネック延長部を形成することを含み、該ギターネック延長部は、指板面と、第一ヒンジバット受入れ凹部と、係止部材孔と、整列部材孔とで形成され、
（ｂ）ギターネックベース部を形成することを含み、該ギターネックベース部は、第二ヒンジバット受入れ凹部で形成され、該第二ヒンジバット受入れ凹部の位置は、前記第一ヒンジバット受入れ凹部によって機械的に管理され、前記ギターネックベース部は、係止部材孔延長部と、整列部材孔延長部とで形成され、前記係止部材孔延長部の位置は、前記係止部材孔によって機械的に管理され、前記整列部材孔延長部は、前記整列部材孔によって機械的に管理され、
（ｃ）前記係止部材孔に固定ボルトを提供することを含み、
（ｄ）前記固定ボルト上の結合固定構造を受け入れ且つ前記固定ボルト上の前記結合固定構造と結合するために、前記係止部材孔延長部に前記結合固定構造を提供することを含み、
（ｅ）前記整列部材孔に、前記係止部材孔又は前記係止部材孔延長部内に配置され且つ前記係止部材孔又は前記係止部材孔延長部に固定される整列部材を提供することを含む、
プロセス。
【請求項２】
前記ギターネックベース部及び前記ギターネック延長部は同時に形成され、２つの部分に分割される、請求項１に記載の方法。
【請求項３】
前記ギターネックベース部及び前記ギターネック延長部は、ギターネック部材を形成すること、ヒンジを受け入れるために前記ギターネック部材にポケットを切り込むこと、及び、前記ギターネック部材に前記ポケットを切り込んだ後、前記第一ヒンジバット受入れ凹部及び前記第二ヒンジバット受入れ凹部を形成するよう、前記ギターネック部材及び前記ポケットの上に指板を接着することによって形成される、請求項２に記載の方法。
【請求項４】
前記ギターネック部材及び前記指板は、木製である、請求項３に記載の方法。
【請求項５】
前記ギターネック部材は、少なくとも２つの取付け孔で形成され、該取付け孔は、前記指板によって被覆されるべき前記ギターネック部材の表面から延びるが、前記完成されるギターの前記ギターネックの下面が前記孔を示さないよう、前記ギターネック部材を通じて延びず、前記取付け孔は、前記ポケットの切取り中、前記ギターネックを位置決めるために使用される、請求項２に記載の方法。
【請求項６】
旅行用ギターを製造する方法であって、
（ａ）ギターネックを形成することを含み、該ギターネックは、ベースと、ネック延長部とで形成され、
（ｂ）前記ギターネック上で行われる更なるプロセスステップの間に、前記ギターネックを所定位置に保持することをもたらすよう、前記ギターネックに少なくとも２つの孔を穿孔することを含み、
（ｃ）前記ギターネックにポケットを切り込むことを含み、該ポケットは、隠れ型のヒンジを受け入れるよう構成され、
（ｄ）ネック固定のために前記ギターネックの前記ベースに第一孔を穿孔することを含み、
（ｅ）整列機構を受け入れるために前記ギターネックの前記ベースに第二孔を穿孔することを含み、
（ｆ）前記ネック延長部及び前記ポケットの上に指板を固定することを含み、
（ｇ）前記指板が固定された後、前記ポケット、前記第一孔、及び、前記第二孔を分割することを含み、前記ポケットは、２つのポケット半体に分割され、
（ｈ）ヒンジのバットの各々をそれぞれのポケット半体内に装着することを含み、
（ｉ）前記第二孔内に整列機構を装着することを含み、
（ｊ）前記第一孔内に固定装置を装着することを含む、
方法。
【請求項７】
前記第一孔、前記第二孔、及び、前記ポケットの前記分割は、切断機器の単一切断で行われる、請求項６に記載の方法。
【請求項８】
（ａ）ギター本体と、
（ｂ）ギターネックと、
（ｃ）前記ギター本体及びギターネックの１つの側に配置され、前記ギター本体を前記ギターネックに接続するヒンジと、
（ｄ）前記ギター本体又はギターネックのうちの一方の他の側に固定されるラッチ板と、
（ｅ）前記ギター本体又はギターネックのうちの他方の他の側に固定され、キャッチ部材捕捉表面を定めるキャッチ部材と、
（ｆ）前記ラッチ板に旋回的に取り付けられるラッチアームと、
（ｇ）該ラッチアームに旋回的に取り付けられるヒッチアームと、
（ｈ）該ヒッチアームに取り付けられ、前記キャッチ部材捕捉表面と係合するよう構成される固定部材とを含み、
前記ラッチアーム、前記ヒッチアーム、及び、前記ラッチ板は、前記固定部材と前記キャッチ部材捕捉表面との間の距離を変更するよう構成される、
折畳みギター。
【発明の詳細な説明】
【技術分野】
【０００１】
本発明は、ギターの音響特性の安定性及び一貫性を保証するヒンジ（蝶番）付きネックを備える、旅行用ギターの製造方法及びラッチ構造に関する。
【背景技術】
【０００２】
音符生成楽器の製造は、人間の音声の機械的な均等物の探求として開始した。これは、実際には、中世を通じて、そして、ルネッサンス及び近世に至るまで、規範として留まった。
【０００３】
弦楽器は古代から知られている。これらは音響室及び指板を備えるギターのような楽器であるリュートのような楽器を含んだ。メトロポリタン美術館のコレクション中の新王朝（古代エジプト、１３８０ＢＣ）青銅製品は、現代のロックミュージシャンを例示し得るような姿勢において、左手を高くして指板を操り、右手で弦を弾き、片方の膝を傾けた状態で褄先立ちした、踊っているヌビア人を描いている。
【０００４】
弦楽器、特にギターの大衆性を考えるならば、人々は、しばしば、旅行時にそれらを携行する。この必要に応じて、折畳みネックを備えるギターが提案されている。
【発明の概要】
【発明が解決しようとする課題】
【０００５】
ヒンジ付きネックを備える旅行用ギターを使用するためには、ネックをヒンジについて回転することによってネックを旅行又は格納位置から演奏位置に移動した後、ラッチを利用してネックを演奏位置において保持しなければならない。このラッチの使用は容易でなければならないと同時に、ラッチは適切な位置においてネックを積極的に係止（ロック）しなければならない。さもなければ、ギターの音響は損なわれる。同時に、製造方法がヒンジの安定的な配置に適合しなければならず、楽器が使用される度毎の調律を必要としない構造をもたらさなければならない。
【課題を解決するための手段】
【０００６】
本発明によれば、使用が容易なラッチと特に良好に作動するギターを作製するための大量生産方法が提供される。ラッチが要求するのは、使用者がボール終端アームをキャッチ内に挿入し、ギターを開放位置において係止するためにレバーを回転することだけである。同時に、ギターを作製する方法は、ヒンジとラッチの安定的な取付けをもたらし、確実且つ使用が容易な楽器をもたらす。本発明はアコースティックギター及びエレキギターの両方に有利に適用可能であり、より古い製造方法によって作製される或いはより古いラッチを利用するギターに適用可能である。
【０００７】
発明的な折畳みギターは、ギター本体とギターネックとを含む。ヒンジがギター本体をギターネックに接続する。ヒンジは、ギター本体及びギターネックの１つの側に配置される。ラッチ板がギター本体又はギターネックのうちの一方の他の側に固定される。キャッチ部材がギター本体又はギターネックのうちの他方の他の側に固定される。キャッチ部材は、キャッチ部材捕捉表面を定める。ラッチアームがラッチ板に旋回的に取り付けられる。ヒッチアームがラッチアームに旋回的に取り付けられる。
【０００８】
固定部材(securement  member)がヒッチアームに取り付けられ、固定部材は、キャッチ部材捕捉表面と係合するよう構成される。ラッチアーム、ヒッチアーム、及び、ラッチ板は、固定部材とキャッチ部材捕捉表面との間の距離を変更するよう構成される。
【０００９】
発明的な方法は、部品の精密な配置と、旅行用ギターのネックの反復的な折畳み及び展開の後の再現可能な一貫性のある位置決めとをもたらす。よって、ギターを再び反復的に使用し、折畳み、展開し、且つ、演奏可能であり、ギターは演奏を通じて並びに使用毎に調律されたままであり得る。
【００１０】
ギターを作製する発明的な方法は、ギターネック延長部を形成することを含み、ギターネック延長部は、指板面、第一ヒンジバット受入れ凹部、係止部材孔、及び、整列部材孔で形成される。ギターネックベース部が第二ヒンジバット受入れ凹部で形成される。第二ヒンジバット受入れ凹部の位置は、第一ヒンジバット受入れ凹部によって機械的に管理される。ギターネックベース部は、係止部材孔延長部と、整列部材孔延長部とで形成される。係止部材孔延長部の位置は、係止部材孔によって機械的に管理される。整列部材孔延長部は、整列部材孔によって機械的に管理される。係止部材孔は、固定ボルトを備える。係止部材孔延長部は、固定ボルト上の固定構造を受け入れ且つ固定ボルト上の固定構造と結合するための結合固定構造を備える。整列部材孔は、係止部材孔又は係止部材孔延長部内に配置され且つ固定される整列部材を備える。
【００１１】
選択的ではあるが、好ましくは、ギターネックベース部及びギターネック延長部は同時に形成され、２つの部分に分割される。
【００１２】
ギターネックベース部及びギターネック延長部は、ギターネック部材を形成することによって形成される。ヒンジを受け入れるために、ポケットがギターネック部材に切り込まれ、ギターネック部材にポケットを切り込んだ後、第一ヒンジバット受入れ凹部及び第二ヒンジバット受入れ凹部を形成するために、指板がギターネック部材及びポケットの上に接着される。
【００１３】
ギターネック部材及び指板を木材から作製し得る。
【００１４】
ギターネック部材を少なくとも２つの取付け孔で形成し得る。完成ギターのギターネックの下面が孔を示さないよう、取付け孔は、指板によって被覆されるべきギターネック部材の表面から延びるが、ギターネック部材を通じては延びない。ポケットの切取りの間にギターネックを位置付けるために、取付け孔を使用し得る。
【００１５】
特に好適な実施態様によれば、発明的な方法は、ギターネックを形成することを含み、ギターネックは、ベースとネック延長部とで形成され、ギターネック上で行われる更なるプロセスステップの間に、所定位置におけるギターネックの保持をもたらすよう、少なくとも２つの孔がギターネックに穿孔される。ポケットがギターネックに切り込まれる。ポケットは、隠れ型のヒンジを受け入れるよう構成される。ネック固定のために、第一孔がギターネックのベースに穿孔される。整列機構を受け入れるよう、第二孔がギターネックのベースに穿孔される。指板がネック延長部及びポケットの上に固定される。指板が固定された後、ポケット、第一孔、及び、第二孔は分割される。ポケットは、２つのポケット半体に分割される。ヒンジのバットの各々は、それぞれのポケット半体内に装着される。次に、整列機構が第二孔内に装着される。固定装置が第一孔内に装着される。
【００１６】
本発明の動作は、図面と共に理解されるとき、以下の記載から明らかになるであろう。
【図面の簡単な説明】
【００１７】
【図１】本発明のラッチの一般的な実施を概ね示す側面図である。
【図２】図１と類似する側面図であるが、部品の隠れ部分を仮想線で示している。
【図３】発明的なラッチの主要構成部品を示す分解側面図である。
【図４】所定位置において互いに重なり合った図２と類似する発明的なラッチの構成部品を概略的に示す側面図であるが、如何なる陰線も使用していない。
【図５】発明的なラッチの動作を示す説明図である。
【図６】本発明のヒンジの他の実施態様を示す分解斜視図である。
【図７】図６のヒンジのラッチ板を示す頂面図である。
【図８】図７のラッチ板を示す側面図である。
【図９】図７のラッチ板を示す底面図である。
【図１０】図７のラッチ板を示す斜視図である。
【図１１】図６のヒンジのラッチアームを示す側面図である。
【図１２】図６のヒンジのラッチアームを示す斜視図である。
【図１３】図６のヒンジのヒッチ本体を示す斜視図である。
【図１４】図６のヒンジのヒッチアームを示す側面図である。
【図１５】図６のヒンジのヒッチアームを示す斜視図である。
【図１６】図６のヒンジのガイドを示す斜視図である。
【図１７】図６のヒンジのガイドを示す平面図である。
【図１８】図６のヒンジのヒールキャッチ板を示す斜視図である。
【図１９】図６のヒンジのヒールキャッチ板を示す側面図である。
【図２０】図６のヒンジのヒールキャッチ板を示す側面図である。
【図２１】図６のヒンジのヒールキャッチ板を示す頂面図である。
【図２２】発明的なヒンジの第三実施態様を示す頂面図である。
【図２３】図２２のヒンジを示す斜視図であり、ラッチアームは非係止位置にある。
【図２４】図２２のヒンジを示す底面図である。
【図２５】図２２のヒンジを示す詳細図である。
【図２６】本発明の一般的な実施を例示する旅行用ギターを示す斜視図である。
【図２７】発明的なシステムの部品を示す分解斜視図である。
【図２８】ヒンジポケットを切断した後であるが、ネックを互いに対して折り畳まれる２つの部分に分離する前の、ギターネックを示す斜視図である。
【図２９】本発明に従った旅行用のギターにおいて使用されるヒンジを示す斜視図である。
【図３０】ネック取付けボルト及び整列システム用の孔の位置を示す斜視図であり、整列システム用の孔は楽器の内側から穿孔され、外側からは見えないので、整列システム用の孔は仮想線で示されている。
【図３１】図３０に見られるのとは反対側からギターネックを示す斜視図である。
【図３２】ギターネックの２つの半体を示す断面図であり、整列ピンを示し、ネック取付けボルトを仮想線で示している。
【図３３】ギターの本体側からのギターネックの切断を示す斜視図である。
【図３４】ギターのネック側からギターネックの切断を示す斜視図である。
【図３５】ギターネックの切断後の半分のヒンジポケットを示す概略図である。
【図３６】ギターネックの本体部内へのヒンジの挿入を示す斜視図である。
【図３７】演奏位置におけるネックを備える発明的なギターを示す斜視図である。
【発明を実施するための形態】
【００１８】
図１乃至５、特に、先ず図１を参照すると、本発明に従って構成されたラッチ１０が例示されている。ラッチ１０は、ギター本体のベース板１２を含み、ベース板１２は、ネジ１９によってギターの本体１４に固定され（図５）、ネジ１９は、ギター本体１４の孔内に固定される。ベース板１２は、一体的な直立した壁１６を含む。壁１６は、孔１８を含み、孔１８は、短い旋回ピン又はネジ２０を支持する。ネジ２０は、ネジ山付き孔１８内に螺入し、孔２４内に嵌入する。ラッチアーム２４がネジ２０の端部上で回転する。よって、（ネジ２０を受け入れる孔２４を含む）ラッチアーム２２は、旋回ピン２０上に回転可能に取り付けられる。
【００１９】
ヒッチアーム２６は、ベース２８を含み、ベース２８は、孔３０を定める。ピン３２がヒッチアーム２６の孔３０及びラッチアーム２４の孔３４内に取り付けられる。これはヒッチアーム２６とラッチアーム２２との間の回転動作を可能にする。
【００２０】
ボール３６がベース２８の端部に対して位置付けられる距離は、ベース又はヒッチ本体２８のタップ孔４０内に螺入されるネジアーム３８の回転によって、ネジアーム３８によって調節される。ナット４２の回転によって、ネジアーム３８の回転位置を係止し得る。ナット４２は、ネジ山４３上で回転する。ネジ山４３がタップ孔４０と結合することも付記する。
【００２１】
ボール３６は、円弧形状の係合表面４８でヒールキャッチ板４６のソケット４４と係合する。ヒンジ（蝶番）の構造は、バネ５０によって完成され、バネ５０は、ヒッチアーム２６上のフック５２とギター本体のベース板１２上のフック５４との間に緊張して取り付けられる。
【００２２】
図５から発明的なラッチの動作を理解し得る。係止位置において、ラッチ１０は、実線で例示される位置を取り、ヒールキャッチ板４６は、ネジ５７によって折畳みギターネック５６内に取り付けられた状態にある。ギターを旅行位置にするのが望ましいならば、ギターは矢印６０の方向にヒンジ５８について折り畳まれる。これを行うためには、ラッチ１０を解放することが必要である。これはラッチアーム２２を図５に仮想線で例示される位置まで引くことによって行われる。これはテーパ付き表面によって容易化され、テーパ付き表面は、使用者がラッチアーム２２を矢印６４の方向に引き出すよう指の爪を挿入することを可能にする。これはボール３６が矢印６４の方向に移動され、ヒールキャッチ板４６から出ることも可能にする。
【００２３】
ラッチ１０の動作は、Ｖｉｓｅｇｒｉｐｓ（ヴァイスグリップス）ブランドのロッキングプライヤに良く似ている。より具体的には、図５中に破線で例示される位置において、ピン３２は円弧形状の係合表面４８から比較的遠くにある。ピン３２がネジ２０の中心線６６を越えると、ピン３２は係合表面４８により近接する。そのとき、ピン３２は係合表面に直ぐ近くにあるので、有意な圧力がボール３６と係合表面４８との間に加えられる。ピン３２が図５中に実線で示される位置に移動し続けると、ピン３２との間の距離が再び幾分より大きくなるので、この圧力は幾分減少される。よって、ラッチはネック５６を本体１４に確実に接合し、ラッチはその位置に保持される。何故ならば、ネジアーム３８に対して作用する張力は、ネック５６を本体１４に向かって引っ張る傾向を有するからである。
【００２４】
図６乃至２１を今や参照すると、ヒンジの他の実施態様を例示している。この実施態様は、図１乃至５の実施態様とほぼ同じように動作し、類似の或いは対応する部分は、図１乃至５の実施態様中の対応する或いは類似の部分の番号より１００だけ大きい数字で印されている。
【００２５】
より具体的には、ラッチ１１０は、ラッチ板１１２のタップ孔１１８を通じるネジ１２０上での回転のために取り付けられるラッチアーム１２２を含む。ネジ１２０の端部は、ラッチアーム１２２の孔１２４内に延び、ラッチ板１１２に対する回転のためにラッチアーム１２２を支持する。
【００２６】
ピン１３２は、孔１３０内に詰め込まれて適合する。ピン１３２の両端部は、ラッチアーム１２２の孔１３４内に延び、ラッチアーム１２２の孔１３４に緩やかに適合される。一対のボール１６８が、孔１７０の対向端部で孔１７０内に受け入れられる。コイルバネ１７２がボール１６８の間に圧縮して保持される。ラッチアーム１２２がラッチ板１１２と平行であり且つラッチ板１１２と面一である位置において、ボール１６８は孔１２４に向かって駆動され、よって、ラッチアーム１２２を所定位置に積極的に係止する。
【００２７】
板バネ１５０がボルト１５２によってヒッチ本体１２８に固定され、ボルト１５２はヒッチ本体１２８の孔１７４内に螺入する。ギターネックが折り畳まれるのを可能にするよう、ラッチアーム１２２がギターネックから引っ張られるとき、板バネ１５０は、ラッチアームから離れる方向にボール１３６を付勢し、ギターネックの折畳みを容易化する。
【００２８】
ヒッチアーム１３８がヒッチ本体１２８の孔１７７を通じる。ゴムワッシャ１４５、ワッシャ１４３、及び、止めナット１４２が、ヒッチアーム１３８の端部１７６に取り付けられる。ラッチアーム１２２がラッチ板１１２と面一であるとき、ラッチアーム１２２は、ゴムワッシャ１４５と共にヒッチアーム１３８の端部１７６を引っ張り、ワッシャ１４３及び止めナット１４２をヒールキャッチ板１４６に向かって引っ張る。ゴムワッシャ１４５は、バネのように作用し、係止する力を加える。これは力の発揮をもたらし、ラッチをギター本体及びネックに固定するために使用されるネジを取り囲む木材に、その力を加えない。より具体的には、ネジ（図示せず）が、ヒールキャッチ板の孔１７８及びラッチ板１１２の孔１８０を通じる。
【００２９】
ヒッチアーム１３８の過剰な移動は、スカート１８２によって制限される。ヒッチアーム１３８の移動は、止めナット１４２によって制限され、止めナット１４２は、ラッチが開放されるときに、ラッチ板１１２の垂直延長部１８８の孔１８６内に取り付けられるバネピン１８４を圧迫するようにさせられる。
【００３０】
ラッチアーム１２２が完全に延出されるとき、孔１９０がボール１６８と係合する。
【００３１】
ガイド１９１が案内表面１９２を含み、案内表面１９２は、ギターネックの折畳みの間、ヒッチアーム１３８がヒールキャッチ板１４６から出るのを案内する。孔１９３が、図６に例示される孔１８０と同じネジを受け入れる。所望であれば、ガイド１９１及びヒールキャッチ板１４６を単一部品として鋳造し得る。
【００３２】
本発明の更に他の実施態様を図２２乃至２５に例示する。この実施態様では、対応する並びに類似する部分は、図６乃至２１の実施態様の対応する並びに類似する部分よりも１００だけ大きい番号が付与されている。
【００３３】
ラッチ２１０は、ラッチ板２１２内に取り付けられるラッチアーム２２２を含む。ボール２３６がヒールキャッチ板２４６内に乗る。滑りラッチロック２９４がスロット２９５内に取り付けられ、滑りラッチロック２９４はスロット２９５内で摺動する。図２２に例示される位置において、ラッチロック２９４はラッチアーム２２２の上に位置し、よって、係止位置においてラッチアーム２２２を積極的に保持する。リベット２９６がロック２９４に固定され、ワッシャ２９７によってスロット２９５内に維持される。これは、ロック２９４の端部２９８が、バネ２９９の力に抗して、ヒールキャッチ板２４６の縁部３００に亘って矢印３０１の方向に駆動されることを可能にする。これは、ラッチアーム２２２が、図５中に破線で例示される位置と類似する非係止位置に回転されることを可能にし、よって、ギターネックが本体の上に折り畳まれることを可能にする。
【００３４】
発明的なラッチをエレキギターの脈絡において例示したが、発明的なラッチをアコースティックギターにも利用し得る。
【００３５】
図２６を参照すると、発明的なプロセスに従ったギター３００の製造は、本体３１２及びネック３１４の別個の製造を含み得る。アコースティックギターとの関係で本方法を例示しているが、本発明に含まれるプロセスステップをエレキギターの製造に利用し得る。
【００３６】
本発明によれば、図２６に示されるように、ネック３１４を矢印３１６によって示される方向に蝶番式に前進することによって、旅行用ギター３１０を旅行用の大きさに低減し得ることが想定される。その結果、図２７に例示するように、ネック３１４は本体３１２の上に位置する。
【００３７】
図２８を参照すると、ネック３１４が製造された後、ポケット３１８がネックのベースに切り込まれる。先ず、これはルータを使用して行われる。ルータが実質的に丸い隅部を備えるポケット３１８を切り取った後、ヒンジを受け入れるポケット３１８の隅部を四角にするために、特殊な工具、例えば、チゼルを使用し得る。本発明によれば、図２９に例示されるような特殊なヒンジ３２０が半分に切断され、以下に記載されるように再結合された後、ヒンジ３２０はポケット３１８内に実質的に完全に嵌入する。
【００３８】
より具体的には、（ネックを構成する挽材からの）ネックの成形及び孔３２４の穿孔が完了した後、及び、指板が取り付けられる前に、２つの別個のルーティング(routing)が行われる。第１は、（ネックがギターの本体３１２と出会う場所により近い）ネック３１４のベースに向かう（ポケット３１８となるべき）四角領域のルーティングである。このポケット３１８は、実質的に正確に図２９に例示されるヒンジ３２０の寸法となる大きさにルーティングされ、ヒンジ装着プロセスの実施後にヒンジを収容するために使用される。ポケットの深さ及び幅は、ヒンジの深さ及び幅と等しい。ポケットの長さは、以下に記載されるようなポケットの長さを切断するために使用される鋸刃の厚みだけヒンジの長さよりも大きい。
【００３９】
本発明によれば、ギターのネック３１４は一体形として製造され、次に、ポケット３１８がネックに切り込まれ、再取付け装置用の孔がネックのヒールを通じて穿孔されることが想定される。
【００４０】
テーブルから延びる一対のピン対の上にネック３１４を取り付けることによって精度が保証される。ピンは孔３２４内に延びる。ポケット３１８及び孔が形成され、（そして、記録調節孔が穿孔された）後にのみ、ネックが鋸で２つの片に切断され、孔の２つの部分とポケットの２つの部分との間が実質的に完全な位置合わせられた状態で、２つの片が互いに蝶番式に取り付けられる。
【００４１】
ポケット１８は、指板が取り付けられる前、及び、ネック分離切断が行われる前に、ルーティングされるのが好ましい。しかしながら、線、例えば、図２８に例示されるように鉛筆で引かれた線３２２によって、分離切断の位置を印し得る。ポケット３１８に対する許容値は比較的小さい。以下に記載されるように、ギターネックのルーティングでは所望の程度の確度及び精度を達成することが重要である。より具体的には、図２８に例示するように、位置合わせ孔３２４がネック３１４の上に設けられる。孔３２４は、ルーティングプロセスの間に使用される治具と結合する。ルーティングの間、位置合わせ孔３２４は、ポケット３１８をルーティングするための所望の位置においてギターネック３１４を支持する。
【００４２】
ヒンジポケットがルーティングされた後、トラスロッドキャビティをもたらす第２のルーティングを行うためにも、位置合わせ孔が使用される。これは上記に暗示された第２の別個のルーティングステップである。加えて、以下に記載されるように、ヘッド及びネック取付けボルトを受け入れる孔３２８の穿孔の間に、位置合わせ孔３２４を使用し得る。
【００４３】
ポケット１８が切断され、且つ、接着剤の硬化後に指板が所定位置に接着された後、ある量の木を切り取るよう、線３２２に沿う分離切断を行うために丸鋸が使用され、ヒンジ３２０とポケット３１８との間の緊密な適合がもたらされる。分離切断の切断は、鋸が、例えば、指板３２６の中心軸に対して垂直な平面内に位置付けられた状態で、線３２２に沿って行われる。ネックが２つの片に切断された後、ヒンジは今や２つのポケット３１８の半体内に装着される。
【００４４】
上記のように、発明的なプロセスは、ヘッド及びネック取付けボルト用の孔３２８（図３０）の穿孔を想定する。図３０は、孔穿孔後であるが分離切断前のネックを示している。孔３２８は、ネックが２つの片に切断され且つヒンジが装着される前に穿孔される。ギターネック３１４のヒール３２２を通じてベース３３０内に至るヘッド及びネック取付けボルト３６４によってネックの２つの部分を一体に保持し得るよう、孔３２８は、ヘッド及びネック取付けボルト３６４の装着用の孔を提供する目的で穿孔される。ヘッド及びネック取付けボルト３６４は、一体的なサムホイール（指動輪）を有する。以下の議論から明らかであるように、ヘッド及びネック取付けボルトは、ネック３１４のベース３３０のブロック部３４２内に取り付けられるネジ山付きスリーブ３７０内に螺挿される。好適実施態様によれば、ヘッド及びネック取付けボルト３６４並びに関連する係止組立体を、図１乃至２５に記載するラッチ組立体と置換し得る。
【００４５】
上記のように、ヘッド及びネック取付けボルトと関連するハードウェアの装着の間に全ての構成部品が正しく並ぶことを保証するために、孔３２８は分離切断が行われる前に穿孔されるのが好ましい。ギター本体の内側からキャップネジ３７３及びワッシャ３７４によってネック全体を本体に固定するために、孔３２８は、ギターのネックブロック部３４２を通じる分離孔３２９を穿孔するための基準としても働く。
【００４６】
サムホイール及びネック取付けボルト３６４のために孔が穿孔された後であるが、図２８に例示されるネックを２つの片に分割する分離切断が行われる前に、第２の孔３３６を穿孔することが必要であり、第２の孔３３６は、旅行用ギター３１０のネックを形成する２つの片３４２及び３４４の整列を保証するよう作用することが意図される。
【００４７】
本発明によれば、分離切断が行われる前に、取付けボルト用の孔の直ぐ上に第２の孔３３６を穿孔する。図３１を参照すると、中空の真鍮チューブ３３８が孔３３６内に装着される。真鍮チューブ３３８は所定位置に接着される。チューブ３３８の端部は、木製ドエル（目釘）３４０で栓をされる。ドエル３４０も所定位置に接着される。図３１に例示されるように、真鍮チューブが孔３３６内に押し込まれる前に、真鍮チューブ３３８は孔３３６の口に位置付けられる。真鍮チューブが孔３３６内に押し込まれた後の装着後の真鍮チューブ３３８が図３２に例示されている。
【００４８】
本発明によれば、チューブ３３８が所定位置に装着され且つ接着された後、分離切断中にチューブ３３８も切断される。これは、ネックがギター３１０の本体上に装着された後、チューブ３３８がネック３１４のベース部３４２とネック部３４４との適切な整列を保証する位置合わせシステムとして機能することを可能にする。
【００４９】
本発明によれば、チューブ３３８の端部３４６は栓をされるが、チューブが固体真鍮ピン３４８を受け入れ得るために、チューブ３３８の反対端部３４７は、開放されることが想定され、固体真鍮ピン３４８は、組立てプロセスの間にネックを所定位置に係止するために、チューブ３３８の中空側に滑り込むよう構成される。関連部分が例示された演奏位置におけるギターネックの断面図である図３２を参照するならば、これらの構成の協働を殆ど容易に理解し得る。ピン３４８は、中空の真鍮チューブ３３８の端部３４７内に接着される。ピン３４８は、チューブ３３８と協働して、ネックが演奏位置にあるときに側方動作がないことを保証し、且つ、発明的な旅行用ギター３１０の使用中、ポケット３１８内に位置付けられる図３２に仮想線で例示されるヒンジ３２０の真鍮ヒンジアームに対して追加的な圧力又はトルクがないことを保証する。
【００５０】
プロセス中のこの時点で、分離切断を行い、ネックベース３３０、並びに、孔３３６及び３２８を切断し得る。分離切断が正確に位置付けられ、且つ、本体に対するネックヒールの角度が維持されることを保証するために、ネックは分離切断中に本体に取り付けられる。加えて、好ましくは、分離切断に先立ち、ギターネック３１４の長さに亘る並びにポケット３１８に亘る所定位置において、指板３２６が接着される。ギターの本体、フレット３５２、及び、指板の長辺を、剛的に且つ精密に位置付けられる支持表面に対して位置付けることによって、ギターは所定位置に保持され且つ所定位置に維持される。このようにして、分離切断のための正しい場所が達成される。次に、図３３に例示されるような丸鋸刃を使用して切断が行われる。図３３から明らかであるように、ギターの本体は、支持表面に対して位置付けられる。本発明に従った支持表面は、極めて剛的なフォームプラスチック、織物、又は、ギターの表面を引っ掻く可能性の低い表面を有する他の保護材料の薄層のような、保護材料で被覆されるのが好ましい。
【００５１】
図３３及び３４に最も明瞭に例示されるように、分離切断３５５の鋸引きの間、ギター３１０は、一対の指部３５４及びクランプ３５６によって所定位置に保持される。支持表面３５８は、指板３２６の長辺を圧迫する。ギター３１０が丸鋸３６０を使用した切断のための正しい位置にあることを保証するために、小さいフェンスを、指板３２６と接触してネックの下、指板３２６がフレット３５２の１つを圧迫する位置に配置し得る。
【００５２】
切断が行われた後、図３５に例示されるように、ポケット半体３６２がネック３１４のベース部３４２内に現される。ポケット半体３６２は、ヒンジ３２０のバット(butt)の１つを受け入れ、ヒンジのバットの１つが所定位置に留まることを保証するために、ヒンジのバットの１つを所定位置において接着し、次に、所定位置において螺合し得る。ポケット半体３６２へのヒンジ付きバットの挿入は、図３６に例示されている。
【００５３】
次に、ギターは、サムホイールネック取付けボルト３６４を備える。ネック取付けボルト３６４は、図３２に例示されるように、孔３２８の反対端部である孔３２９内に嵌入されるブッシング３７０内のネジ山３６６と結合する。ブッシング３６７は、孔３２８を摩耗から守る。
【００５４】
ブッシング３７０は、ボルト３７２によって所定位置に保持され、ボルト３７２は、ベース部３４２の他の側から延びる。ボルト３７２は、ワッシャ３７４を圧迫するヘッド３７３を備えるプラス頭ボルトである。ボルト３７２は、ネジ山３６６と結合する。ゴムグロメット３８０は、ギターがネック折畳み旅行位置にあるとき、ボルト３６４がギター３１０から外れるのを防止する。
【００５５】
真鍮ピン４８をネック３１４のネック側部分３４４内に装着し得る。この時点で、ネック３１４の２つの部分３４２及び３４４が分離されるようになることはなく、最終的には、組み立てられて単一の完成品のギターになることを保証するために、ネックの両側には対応する製造番号が型押しされる。残余の製造プロセスの間、ネック３１４の部分３４２及び３４４は一体のままであるのが好ましい。記号「Ａ２４−１２」が両方の部分に型押しされた図２７を参照のこと。
【００５６】
本発明の例示的な実施態様を記載したが、上記の記載及び図面を考慮して様々な変更が当業者に明らかであることを付記する。そのような変更は、以下の請求項によってのみ定められる本発明の範囲内にある。
【図１】
0005635606.tif 000002
【図２】
0005635606.tif 000003
【図３】
0005635606.tif 000004
【図４】
0005635606.tif 000005
【図５】
0005635606.tif 000006
【図６】
0005635606.tif 000007
【図７】
0005635606.tif 000008
【図８】
0005635606.tif 000009
【図９】
0005635606.tif 000010
【図１０】
0005635606.tif 000011
【図１１】
0005635606.tif 000012
【図１２】
0005635606.tif 000013
【図１３】
0005635606.tif 000014
【図１４】
0005635606.tif 000015
【図１５】
0005635606.tif 000016
【図１６】
0005635606.tif 000017
【図１７】
0005635606.tif 000018
【図１８】
0005635606.tif 000019
【図１９】
0005635606.tif 000020
【図２０】
0005635606.tif 000021
【図２１】
0005635606.tif 000022
【図２２】
0005635606.tif 000023
【図２３】
0005635606.tif 000024
【図２４】
0005635606.tif 000025
【図２５】
0005635606.tif 000026
【図２６】
0005635606.tif 000027
【図２７】
0005635606.tif 000028
【図２８】
0005635606.tif 000029
【図２９】
0005635606.tif 000030
【図３０】
0005635606.tif 000031
【図３１】
0005635606.tif 000032
【図３２】
0005635606.tif 000033
【図３３】
0005635606.tif 000034
【図３４】
0005635606.tif 000035
【図３５】
0005635606.tif 000036
【図３６】
0005635606.tif 000037
【図３７】
0005635606.tif 000038